(57)【要約】【課題】ロータの耐久性を低下させることなく、ロータの外周側壁の形状自由度を向上させて、磁石の磁束の利用効率を効果的に向上させることが可能な回転電機を提供する。【解決手段】回転電機は、磁石挿入孔２０が形成されたロータ１０と、磁石挿入孔２０に収納された磁石１２とを有する。磁石挿入孔２０の内壁面は、磁石１２よりもロータ１０の径方向の外周側に配設される外周側壁面２６と、該径方向の中心側に配設され且つ磁石１２に向かってツメ３２、３４が突出形成された中心側壁面２４とを有する。磁石１２に形成された溝２２にツメ３２、３４が係合することで、磁石１２が外周側壁面２６から離間した状態で磁石挿入孔２０内に保持される。中心側壁面２４の磁石１２に臨む部位には、ツメ３２、３４の基端部に連なる凹部３６、３８がそれぞれ形成される。凹部３６、３８は、中心側壁面２４と磁石１２との間に空間を形成する。【選択図】図２
2017158282.tif 000002
【特許請求の範囲】
【請求項１】
ステータの中空部に回転自在に設けられるロータと、前記ロータに形成された磁石挿入孔に収納される磁石と、を有する回転電機であって、
前記磁石挿入孔の内壁面は、前記磁石よりも前記ロータの径方向の中心側に配設され且つ前記磁石に向かってツメが突出形成された中心側壁面と、前記磁石よりも前記ロータの径方向の外周側に配設される外周側壁面と、を有し、
前記磁石に形成された溝に前記ツメが係合することで、前記磁石が前記外周側壁面から離間した状態で前記磁石挿入孔内に保持され、
前記中心側壁面の前記磁石に臨む部位には、前記ツメの基端部に連なる凹部が形成され、前記凹部は、前記中心側壁面と前記磁石との間に空間を形成することを特徴とする回転電機。
【請求項２】
請求項１記載の回転電機において、
前記中心側壁面は、前記ロータの周方向の中央側が両端側に比して前記ロータの径方向の中心側に接近することで、前記ロータの径方向に対して傾斜する傾斜部が設けられ、
前記ツメは、前記傾斜部の前記ロータの径方向の中心側に形成される中心側ツメと、前記ロータの径方向の外周側に形成される外周側ツメとを含み、
前記凹部は、前記中心側ツメの基端部に連なる中心側凹部と、前記外周側ツメの基端部に連なる外周側凹部とを含み、
前記中心側凹部は、前記外周側凹部よりも開口が大きいことを特徴とする回転電機。
【請求項３】
請求項１又は２記載の回転電機において、
前記磁石挿入孔に収納された前記磁石は、前記ロータの周方向の両端側の端面に前記溝がそれぞれ形成され、前記ロータの周方向の両側から前記溝に前記ツメがそれぞれ係合することにより、前記外周側壁面から離間した状態で保持されることを特徴とする回転電機。
【発明の詳細な説明】
【技術分野】
【０００１】
本発明は、磁石を収納するロータが、ステータの中空部に回転自在に設けられ、該ロータの回転作用下に電動機又は発電機として動作する回転電機に関する。
【背景技術】
【０００２】
円環状に形成されたステータの中空部に回転自在に挿入されたロータと、該ロータに形成された磁石挿入孔に収納された磁石とを有する回転電機が知られている。この回転電機では、ステータのスロットに巻回された複数のコイルによって回転磁界を発生させることでロータを回転させる。この構成において、ロータの磁石挿入孔よりも外周側の壁（外周側壁）に他部位よりも厚さが薄い薄肉部を設けることで、磁石からステータに向かう磁束がロータを介して短絡することを抑制して磁束の利用効率を高めることができることが知られている。
【０００３】
しかしながら、外周側壁には、ロータの回転に伴う磁石の遠心力により応力が生じる。このため、外周側壁に上記のような薄肉部を設けると、該薄肉部の強度が不足してロータの耐久性が低下する懸念がある。このため、実際には、外周側壁を、その耐久性を維持するべく十分な厚さとする必要がある。従って、外周側壁の形状に制限が課されるため、磁石の磁束の利用効率を高めるべく薄肉部等を設けることは困難である。
【０００４】
そこで、例えば、特許文献１に開示されるように、磁石に設けた溝と、ロータに設けたツメとを係合させて、該ロータの回転中心側に磁石を保持することが考えられる。これによって、外周側壁に生じる応力を低減できるため、外周側壁に課される形状の制限を緩和できる。その結果、外周側壁に薄肉部等を設けることが容易になり、磁石の磁束の利用効率を効果的に高めることが可能になる。
【先行技術文献】
【特許文献】
【０００５】
【特許文献１】実開昭６１−８１１０６号公報
【発明の概要】
【発明が解決しようとする課題】
【０００６】
上記のように磁石の溝とロータのツメとを係合させるためには、溝に対してその延在方向の端部からツメを挿入した後、ロータの軸方向に沿って溝内でツメを摺動させつつ、磁石挿入孔に磁石を圧入する必要がある。この際、ロータの剛性に比して磁石の剛性が大きいため、該磁石と係合するツメ及びその周辺部に大きな応力が発生してしまう。
【０００７】
また、ロータには、その径方向の中心部に形成された貫通孔に対して回転シャフトが圧入される。この圧入工程は、磁石挿入孔に磁石が収納された状態で行われるため、該圧入工程においても同様に、ロータのツメの基端部及びその周辺部に大きな応力が発生してしまう。従って、ツメの基端部及びその周辺部の強度が十分でない場合、結局、ロータの耐久性が低下してしまう。このため、ロータ全体の耐久性を低下させることなく、外周側壁の形状自由度を向上させて、磁石の磁束の利用効率の向上を図ることは困難である。
【０００８】
本発明は、前記の課題を考慮してなされたものであり、ロータの耐久性を低下させることなく、ロータの外周側壁の形状自由度を向上させて、磁石の磁束の利用効率を効果的に向上させることが可能な回転電機を提供することを目的とする。
【課題を解決するための手段】
【０００９】
前記の目的を達成するために、本発明は、ステータの中空部に回転自在に設けられるロータと、前記ロータに形成された磁石挿入孔に収納される磁石と、を有する回転電機であって、前記磁石挿入孔の内壁面は、前記磁石よりも前記ロータの径方向の中心側に配設され且つ前記磁石に向かってツメが突出形成された中心側壁面と、前記磁石よりも前記ロータの径方向の外周側に配設される外周側壁面と、を有し、前記磁石に形成された溝に前記ツメが係合することで、前記磁石が前記外周側壁面から離間した状態で前記磁石挿入孔内に保持され、前記中心側壁面の前記磁石に臨む部位には、前記ツメの基端部に連なる凹部が形成され、前記凹部は、前記中心側壁面と前記磁石との間に空間を形成することを特徴とする。
【００１０】
この回転電機では、磁石挿入孔の中心側壁面に突出形成されたツメを磁石の溝に係合させることで、該磁石を外周側壁面から離間した状態で磁石挿入孔内に保持することができる。このため、磁石挿入孔よりもロータの径方向の外周側の壁（外周側壁）が、ロータの回転に伴う磁石の遠心力を受けることを回避できる。このように外周側壁に遠心力による応力が発生しないため、磁石の磁束の利用効率を向上させるべく、該外周側壁に他部位よりも厚さが薄い薄肉部等を設けても、該薄肉部の強度が不足することを回避できる。つまり、外周側壁に課される形状の制限を緩和できる。
【００１１】
また、中心側壁面におけるツメの基端部及びその周辺部位と、磁石との間には、凹部によって空間が形成される。これによって、磁石挿入孔に磁石を挿入する際や、ロータの径方向の中心（回転中心）に形成された貫通孔に回転シャフトを圧入する際に、ロータと磁石の剛性差等による応力がツメの基端部及びその周辺部位に発生することを抑制できる。すなわち、上記のように外周側壁の形状の自由度を向上させるべくロータにツメを設けても、該ツメ及びその周辺部の強度が不足することを抑制できる。
【００１２】
以上から、外周側壁と、ツメ及びその周辺部位とを含むロータ全体の耐久性を低下させることなく、ロータの外周側壁の形状自由度を向上させて、磁石の磁束の利用効率を効果的に向上させることが可能な回転電機を得ることができる。
【００１３】
上記の回転電機において、前記中心側壁面は、前記ロータの周方向の中央側が両端側に比して前記ロータの径方向の中心側に接近することで、前記ロータの径方向に対して傾斜する傾斜部が設けられ、前記ツメは、前記傾斜部の前記ロータの径方向の中心側に形成される中心側ツメと、前記ロータの径方向の外周側に形成される外周側ツメとを含み、前記凹部は、前記中心側ツメの基端部に連なる中心側凹部と、前記外周側ツメの基端部に連なる外周側凹部とを含み、前記中心側凹部は、前記外周側凹部よりも開口が大きいことが好ましい。
【００１４】
この場合、中心側ツメは、外周側ツメに比して、ロータの径方向の中心側に近い部位、換言すると、回転シャフトが圧入される貫通孔に近い部位に形成される。このため、貫通孔に回転シャフトを圧入する際に、中心側ツメ及びその周辺部に生じる応力は、外周側ツメ及びその周辺部に生じる応力よりも大きくなり易い。従って、上記のように、外周側ツメの基端部に連なる外周側凹部よりも、中心側ツメの基端部に連なる中心側凹部の開口を大きくすることで、回転シャフトの圧入時にロータに応力が生じることを効果的に抑制することができる。
【００１５】
上記の回転電機において、前記磁石挿入孔に収納された前記磁石は、前記ロータの周方向の両端側の端面に前記溝がそれぞれ形成され、前記ロータの周方向の両側から前記溝に前記ツメがそれぞれ係合することにより、前記外周側壁面から離間した状態で保持されることが好ましい。このように、ロータの周方向の両側から磁石の溝にツメを係合させることにより、ロータの回転時にも磁石を外周側壁面から離間した状態で容易に保持することができる。
【発明の効果】
【００１６】
本発明によれば、中心側壁面に形成されたツメを磁石に係合させることで、該磁石を外周側壁面から離間した状態で磁石挿入孔内に保持することができる。このため、外周側壁に磁石の遠心力による応力が発生することを回避できる。また、凹部によって、中心側壁面におけるツメの基端部及びその周辺部位と、磁石との間に空間を形成することができるため、ロータと磁石の剛性差等による応力がツメの基端部及びその周辺部位に発生することを抑制できる。その結果、外周側壁と、ツメ及びその周辺部とを含むロータ全体の耐久性を低下させることなく、ロータの外周側壁の形状自由度を向上させて、磁石の磁束の利用効率を効果的に向上させることが可能な回転電機を得ることができる。
【図面の簡単な説明】
【００１７】
【図１】本発明の第１実施形態に係る回転電機を構成するロータ及び磁石の概略平面図である。
【図２】図１の要部拡大図である。
【図３】本発明の第２実施形態に係る回転電機を構成するロータ及び磁石の要部拡大図である。
【図４】本発明の第３実施形態に係る回転電機を構成するロータ及び磁石の要部拡大図である。
【発明を実施するための形態】
【００１８】
本発明に係る回転電機について好適な実施の形態を挙げ、添付の図面を参照しながら以下詳細に説明する。
【００１９】
図１は、本発明の第１実施形態に係る回転電機を構成するロータ１０及び磁石１２の概略平面図である。この回転電機は、磁石１２がロータ１０の内部に組み込まれる、いわゆる埋込磁石形(ＩＰＭ：Ｉｎｔｅｒｉｏｒ  Ｐｅｒｍａｎｅｎｔ  Ｍａｇｎｅｔ)である。
【００２０】
ロータ１０は、図示しない円環状のステータの中空部に回転自在に設けられる。具体的には、ロータ１０は、例えば、複数の鋼板を軸方向に積層することで形成され、その径方向（図１の矢印Ｘ方向、以下、単に径方向ともいう）の中心側（図１のＸ１側）に形成された貫通孔１４に回転シャフト１６が圧入される。これにより、ロータ１０と回転シャフト１６とが連結され一体的に回転する。
【００２１】
また、ロータ１０の径方向の外周側（図１のＸ２側）の部位には、複数個の磁石挿入孔２０が形成される。１個の磁石挿入孔２０は、鈍角をなす折曲部がＸ１側を指向した断面略Ｖ字形状である。複数個の磁石挿入孔２０は、ロータ１０の周方向（図１の矢印Ｙ方向、以下、単に周方向ともいう）に沿って所定の間隔をおいて配設され、それぞれに２個ずつ磁石１２が収納される。図２に示すように、磁石１２は、断面長方形状に形成された永久磁石からなり、周方向の両端側の端面にそれぞれ溝２２が形成されている。
【００２２】
上記のように断面略Ｖ字状に形成される磁石挿入孔２０の内壁面は、磁石１２よりも径方向の中心側に配設される中心側壁面２４と、該磁石１２よりも径方向の外周側に配設される外周側壁面２６とを有する。すなわち、中心側壁面２４と外周側壁面２６とは、磁石１２を介して対向するように、互いに略平行に延在する。また、中心側壁面２４及び外周側壁面２６の各々は、周方向の中央側が両端側よりも径方向の中心側に接近する。これによって、中心側壁面２４及び外周側壁面２６の周方向の中央側と一端側との間、及び該中央側と他端側との間には、それぞれ径方向に対して傾斜する傾斜部が設けられる。この傾斜部のうち、中心側壁面２４の周方向の中央側と一端側との間を第１傾斜部２８とし、該周方向の中央側と他端側との間を第２傾斜部３０とする。
【００２３】
第１傾斜部２８には、径方向の中心側（周方向の中央側）に中心側ツメ３２が突出形成され、且つ径方向の外周側（周方向の一端側）に外周側ツメ３４が突出形成される。磁石１２は、中心側ツメ３２と外周側ツメ３４との間に配設され、径方向の両端面に設けられた溝２２と、中心側ツメ３２及び外周側ツメ３４とがそれぞれ係合する。このようにして磁石挿入孔２０に収納された磁石１２は、後述するように中心側凹部３６及び外周側凹部３８を除く第１傾斜部２８に接するとともに、外周側壁面２６と離間した状態で保持される。なお、外周側壁面２６と磁石１２との距離は、ロータ１０の回転時等に該ロータ１０に弾性変形が生じても、外周側壁面２６と磁石１２とが接触しない大きさに設定されることが好ましい。
【００２４】
中心側凹部３６は、第１傾斜部２８の磁石１２に臨む部位に対して、中心側ツメ３２の基端部に連なるように設けられる。また、外周側凹部３８は、第１傾斜部２８の磁石１２に臨む部位に対して、外周側ツメ３４の基端部に連なるように設けられる。これらの中心側凹部３６及び外周側凹部３８によって、該第１傾斜部２８と磁石１２との間に空間が形成される。この際、中心側ツメ３２の基端部及びその周辺部位と磁石１２との非接触部位の面積が、外周側ツメ３４の基端部及びその周辺部位と磁石１２との非接触部位の面積よりも大きくなるように、中心側凹部３６の開口は、外周側凹部３８の開口に比して大きくなっている。
【００２５】
第２傾斜部３０は、第１傾斜部２８と同様に構成される。すなわち、径方向の中心側（周方向の中央側）に中心側ツメ３２が突出形成され、且つ径方向の外周側（周方向の他端側）に外周側ツメ３４が突出形成され、中心側ツメ３２及び外周側ツメ３４と磁石１２の溝２２とがそれぞれ係合する。これによって、磁石１２は、中心側凹部３６及び外周側凹部３８を除く第２傾斜部３０に接するとともに、外周側壁面２６と離間した状態で磁石挿入孔２０内に保持される。このように、磁石挿入孔２０の第１傾斜部２８及び第２傾斜部３０の各々に沿って収納された２つの磁石１２が１つの磁極として機能する。
【００２６】
磁石挿入孔２０の周方向の両端部は、径方向の外周側にそれぞれ広がる肉抜き部４０を構成する。これによって、ロータ１０には外周側壁面２６よりも外周側の部位（外周側壁４２）に、薄肉部４４が形成される。この薄肉部４４は、磁石１２からステータに向かう磁束がロータ１０を介して短絡することを抑制して該磁束の利用効率を高めることができるように、外周側壁４２の他部位よりも径方向の厚さが小さく設定される。
【００２７】
本実施形態に係る回転電機は、基本的には以上のように構成される。次に回転電機の動作及び製造方法との関係で、その作用効果について説明する。
【００２８】
先ず、回転電機を駆動させる場合、図示しない電力源から電力を供給して、ステータのスロットに巻回された複数のコイル（何れも不図示）に通電する。これに伴って、前記コイルが励磁することで回転磁界が生じ、上記のようにして磁極となる磁石１２が装着されたロータ１０がステータの内部で回転シャフト１６を回転中心として回転駆動する。
【００２９】
この際、上記の通り磁石１２の溝２２には、中心側壁面２４に突出形成された中心側ツメ３２及び外周側ツメ３４（以下、総称してツメ３２、３４ともいう）が、周方向の両側からそれぞれ係合する。これによって、ロータ１０の回転時においても、磁石１２を外周側壁面２６から離間した状態で磁石挿入孔２０内に容易に保持することができる。その結果、ロータ１０の外周側壁４２が磁石１２の遠心力を受けることを回避できる。
【００３０】
従って、外周側壁４２に遠心力による応力が発生しないため、上記のように、磁石１２の磁束の利用効率を向上させるべく、該外周側壁４２に他部位よりも厚さが薄い薄肉部４４等を設けても、該薄肉部４４の強度が不足することを回避できる。つまり、外周側壁４２に遠心力による応力が発生しない分、該外周側壁４２に課される形状の制限を緩和できる。
【００３１】
この回転電機は、基本的には周知の方法を採用して製造することが可能であり、磁石挿入孔２０に磁石１２を収納する工程と、貫通孔１４に回転シャフト１６を圧入する工程とを有する。磁石挿入孔２０に磁石１２を収納する工程では、先ず、溝２２の延在方向の端部から該溝２２内にツメ３２、３４をそれぞれ挿入する。次に、ロータ１０の軸方向に沿って溝２２内でツメ３２、３４を摺動させつつ、磁石挿入孔２０の所定の相対位置まで磁石１２を挿入する。このようにして、磁石挿入孔２０に磁石１２を収納した後、ロータ１０の貫通孔１４に対して回転シャフト１６を圧入する工程を行う。
【００３２】
上記の通り、第１傾斜部２８及び第２傾斜部３０におけるツメ３２、３４の基端部及びその周辺部位と磁石１２との間には、中心側凹部３６及び外周側凹部３８（以下、総称して凹部３６、３８ともいう）によって空間が形成される。このため、磁石挿入孔２０に磁石１２を挿入する際や、貫通孔１４に回転シャフト１６を圧入する際に、ロータ１０と磁石１２の剛性差等による応力がツメ３２、３４の基端部及びその周辺部位に発生することを抑制できる。すなわち、外周側壁４２の形状の自由度を向上させるべくロータ１０にツメ３２、３４を設けても、該ツメ３２、３４及びその周辺部の強度が不足することを抑制できる。
【００３３】
また、特に、貫通孔１４に回転シャフト１６を圧入する際に発生する前記応力は、外周側ツメ３４の基端部及びその周辺部位よりも貫通孔１４の近くに配設される中心側ツメ３２の基端部及びその周辺部位で大きくなる。この回転電機では、上記の通り、外周側ツメ３４の基端部に連なる外周側凹部３８よりも、中心側ツメ３２の基端部に連なる中心側凹部３６の開口が大きい。従って、中心側ツメ３２の基端部及びその周辺部位で大きくなり易い前記応力を効果的に抑制することができる。
【００３４】
以上から、外周側壁４２と、ツメ３２、３４及びその周辺部位とを含むロータ１０全体の耐久性を低下させることなく、外周側壁４２の形状自由度を向上させることができる。このため、ロータ１０の外周側壁４２に対して、磁石１２の磁束の利用効率を効果的に向上させることが可能な厚さの薄肉部４４等を容易に設けることできる。
【００３５】
本発明は、上記した実施形態に特に限定されるものではなく、その要旨を逸脱しない範囲で種々の変形が可能である。
【００３６】
先ず、上記の第１実施形態に係る回転電機のロータ１０では、１つの磁石挿入孔２０に収納された２つの磁石１２によって１つの磁極が形成されていたが、特にこれに限定されるものではない。例えば、１つの磁石挿入孔に挿入された３つの磁石によって１つの磁極が構成されてもよい。このような構成としては、図３に示す第２実施形態に係る回転電機のロータ５０が挙げられる。なお、図３に示す構成要素のうち、図１及び図２に示す構成要素と同一又は同様の機能及び効果を奏するものに対しては同一の参照符号を付し、その詳細な説明を省略する。
【００３７】
ロータ５０では、上記の磁石挿入孔２０に代えて磁石挿入孔５２が形成されている。この磁石挿入孔５２の周方向の両端側には、上記の磁石挿入孔２０と同様に磁石１２が収納される。また、磁石挿入孔５２における磁石１２同士の間には磁石５４がさらに収納される。この磁石挿入孔５２の内壁面を構成する中心側壁面５６及び外周側壁面５８は、周方向の中央側に、磁石５４に臨む中央部５６ａ、５８ａを有することを除いて、上記の中心側壁面２４及び外周側壁面２６の各々と同様に構成されている。磁石５４は、磁石１２に比して周方向の長さが小さく、周方向の両端面に上記の溝２２と同様に溝６０がそれぞれ形成されている。
【００３８】
中心側壁面５６の中央部５６ａの周方向の両端側には、上記の中心側ツメ３２に代えて中心側ツメ６２がそれぞれ形成されている。中心側ツメ６２の各々の先端部は、周方向の両端側に延在する延在部位を有することで、該中心側ツメ６２の基端部よりも周方向の幅が大きくなっている。中心側ツメ６２の各々は、磁石１２と磁石５４との間に配設される。換言すると、中心側ツメ６２同士の間に磁石５４が配設され、さらに中心側ツメ６２の周方向の両側に磁石１２が配設される。中心側ツメ６２の磁石１２に臨む側の延在部位が該磁石１２の溝２２に係合するとともに、磁石５４に臨む側の延在部位が該磁石５４の溝６０に係合する。これによって、磁石５４は、外周側壁面５８の中央部５８ａと離間した状態で磁石挿入孔５２内に保持される。
【００３９】
また、磁石５４に臨む中心側壁面５６の中央部５６ａは、中心側ツメ６２の各々の基端部に連なる凹部６４が設けられ、該凹部６４によって磁石５４との間に空間が形成されている。
【００４０】
上記の通り、３つの磁石１２、５４によって１つの磁極を構成する第２実施形態に係る回転電機のロータ５０であっても、第１実施形態に係る回転電機と同様の作用効果を得ることができる。すなわち、ロータ５０の外周側壁４２が、ロータ５０の回転に伴う磁石１２、５４の遠心力を受けることを回避して、該外周側壁４２に課される形状の制限を緩和できる。
【００４１】
また、中心側凹部３６と、外周側凹部３８と、凹部７６とによって、中心側壁面５６と磁石１２、５４との間にそれぞれ空間が形成される。このため、ロータ５０と磁石１２、５４の剛性差等による応力が外周側ツメ３４及び中心側ツメ６２の各々の基端部及びその周辺部位に発生することを抑制できる。
【００４２】
その結果、ロータ５０全体の耐久性を低下させることなく、外周側壁４２の形状自由度を向上させて、磁石１２、５４の磁束の利用効率を効果的に向上させることが可能な回転電機を得ることができる。
【００４３】
次に、上記の第１実施形態に係る回転電機のロータ１０では、磁石１２の周方向の両端面に溝２２が形成され、周方向の両側から溝２２にツメ３２、３４がそれぞれ係合することとした。すなわち、２つのツメ３２、３４によって１つの磁石１２を保持することとした。
【００４４】
しかしながら、特にこれに限定されるものではなく、例えば、図４に示す第３実施形態に係る回転電機のロータ７０のように、１つのツメ７２によって１つの磁石７４を保持してもよい。なお、図４に示す構成要素のうち、図１及び図２に示す構成要素と同一又は同様の機能及び効果を奏するものに対しては、同一の参照符号を付し、その詳細な説明を省略する。
【００４５】
ツメ７２は、ロータ７０の第１傾斜部２８及び第２傾斜部３０の各々の周方向の略中央に突出形成される。また、ツメ７２は、先端部に周方向の両端側に延在する延在部位を有することで、該先端部よりも基端部の周方向の長さが小さくなる。また、第１傾斜部２８及び第２傾斜部３０の各々の磁石７４に臨む部位には、ツメ７２の基端部に連なる凹部７６がそれぞれ形成される。すなわち、凹部７６は、ツメ７２の基端部の周方向の両側にそれぞれ形成される。
【００４６】
磁石７４は、中心側壁面２４に臨む端面の周方向の略中央に、ツメ７２に応じた形状の溝７８が形成されている。この溝７８の延在方向の端部からツメ７２を挿入し、ロータ７０の軸方向に沿って摺動させることで、溝７８とツメ７２とを係合させることができる。これによって、磁石７４を外周側壁面２６から離間した状態で磁石挿入孔２０内に保持することができる。また、磁石挿入孔２０に収納された磁石７４と、第１傾斜部２８及び第２傾斜部３０におけるツメ７２の基端部及びその周辺部位との間には、凹部７６によって空間が形成されている。
【００４７】
上記の構成を備えることで、第３実施形態に係る回転電機のロータ７０のように、１つのツメ７２によって１つの磁石７４を保持しても、第１実施形態に係る回転電機と同様の作用効果を得ることができる。すなわち、ロータ７０全体の耐久性を低下させることなく、外周側壁４２の形状自由度を向上させて、磁石７４の磁束の利用効率を効果的に向上させることができる。また、ロータ７０では、上記の通り、第１傾斜部２８及び第２傾斜部３０のそれぞれに１つのツメ７２を形成すればよく、且つ磁石７４にも１つの溝７８を形成すればよい。このため、第１実施形態に係る回転電機に比してロータ７０及び磁石７４の構成を簡素化して、製造効率を向上させることができる。
【符号の説明】
【００４８】
１０、５０、７０…ロータ            １２、５４、７４…磁石
１４…貫通孔                        １６…回転シャフト
２０、５２…磁石挿入孔              ２２、６０、７８…溝
２４、５６…中心側壁面              ２６、５８…外周側壁面
２８…第１傾斜部                    ３０…第２傾斜部
３２、６２…中心側ツメ              ３４…外周側ツメ
３６…中心側凹部                    ３８…外周側凹部
４０…肉抜き部                      ４２…外周側壁
４４…薄肉部                        ５６ａ、５８ａ…中央部
６４、７６…凹部                    ７２…ツメ
【図１】
2017158282.tif 000003
【図２】
2017158282.tif 000004
【図３】
2017158282.tif 000005
【図４】
2017158282.tif 000006